(57)【特許請求の範囲】
【請求項１】
可視光を透過する板部と、
物を前記板部の裏側から表側へあるいは表側から裏側へ移動させるために当該物が内部に配置されるケース部であって、前記板部に貫通して配置されたケース部と、を備え、
前記板部は、表側からユーザの手及び腕部が挿入される少なくとも１つの腕部挿入口であって、前記ケース部よりも上方に設けられた少なくとも１つの腕部挿入口を含み、
前記ケース部は、
前記ケース部のうちの前記板部の裏側の部分の上面を開閉可能な第１扉であって、前記少なくとも１つの腕部挿入口に挿入されたユーザの手又は腕部により開閉される第１扉と、
前記ケース部のうちの前記裏側の部分よりも表側の部分の上面又は側面を開閉可能な第２扉と、を含む、防護パネル。
【請求項２】
前記ケース部のうちの前記板部から裏側に突出する長さは、前記ケース部のうちの前記板部から表側へ突出する長さよりも大きい、請求項１に記載の防護パネル。
【請求項３】
前記第１扉は、スライド移動して開閉可能に構成されている、請求項１または２に記載の防護パネル。
【請求項４】
前記ケース部のうちの前記裏側の部分の上面は、物を一時的に載置するための載置部を含む、請求項１〜３のいずれか１項に記載の防護パネル。
【請求項５】
前記第２扉は、前記表側の部分の側面に配置されている、請求項１〜４のいずれか１項に記載の防護パネル。
【請求項６】
前記ケース部は、可視光を透過する材料により構成されている、請求項１〜５のいずれか１項に記載の防護パネル。
【請求項７】
前記少なくとも１つの腕部挿入口は、前記ケース部の上方に設けられた一対の腕部挿入口を含む、請求項１〜６のいずれか１項に記載の防護パネル。
【請求項８】
前記板部は、貫通孔を有し、
前記貫通孔を塞いで配置された可撓性の部材を含む圧力確認部材を、さらに備える、請求項１〜７のいずれか１項に記載の防護パネル。
【請求項９】
請求項１〜８のいずれか１項に記載の防護パネルと、
前記防護パネルを回動可能に構造物に接続するヒンジと、を備えた、防護パネル付き扉。
【請求項１０】
請求項１〜８のいずれか１項に記載の防護パネルが一壁部として構成されたボックス本体部を備え、
前記第１扉は、前記ボックス本体部の内部に配置されている、防護パネル付きボックス。
【請求項１１】
前記ボックス本体部内を陰圧にする排気装置をさらに備える、請求項１０に記載の防護パネル付きボックス。
【請求項１２】
前記ボックス本体部の底部に配置された車輪であって、前記ボックス本体部を移動させる車輪をさらに備える、請求項１０または１１に記載の防護パネル付きボックス。
【発明の詳細な説明】
【技術分野】
【０００１】
本発明は、防護パネル、防護パネル付き扉、及び防護パネル付きボックスに関する。
【背景技術】
【０００２】
従来、検体を採取するための防護パネル付きボックスが知られている。例えば、特許文献１には、側面部材を有する検体採取ボックスが開示されている。この側面部材には、検体採取者の腕部が挿入される開口部が設けられている。検体採取者は、検体採取ボックス内に入った状態で、開口部を介して腕部を検体採取ボックスの外に出し、検体採取ボックスの外に居る被検者から検体を採取する。これにより、被検者の検体を採取する作業中に、被検者がくしゃみや咳を行った場合でも、検体採取ボックス内の検体採取者に飛沫が付くのを防止することが可能となる。その結果、被検者が感染症を患っている場合でも、検体採取者が二次感染することが防止されている。
【０００３】
また、従来、化学実験で用いられるドラフトチャンバーが知られている。例えば、特許文献２には、装置内部が陰圧の状態で、開口部を介して実験対象物に対して作業可能なドラフトチャンバーが開示されている。このドラフトチャンバーでは、前面部に設けられた開口部から装置内部に空気が流入することにより、作業者側に、実験作業中に実験対象物から発生する有害な気体が漏洩するのが防止されている。
【先行技術文献】
【特許文献】
【０００４】
【特許文献１】実用新案登録第３２２８９９９号公報
【０００５】
【特許文献２】特開２０１５−３９６４６号公報
【発明の概要】
【発明が解決しようとする課題】
【０００６】
上記特許文献１及び上記特許文献２に記載されている装置では、ユーザが検体を採取する作業又は実験作業中に、側面部材又は前面部よりもユーザ側に有害な物質が及ぶのが防止されている。しかしながら、上記特許文献１及び上記特許文献２に記載されている装置では、ユーザの作業後にユーザが物（検体や実験対象物）を取得する際においては、側面部材又は前面部（板部）よりもユーザ側に有害な物質が及ぶのが防止されているとはいえない。すなわち、上記特許文献１の検体採取ボックスでは、検体採取作業後に、検体（物）を検体採取者の手から他の場所に移動させる場合、検体採取者とは別に、検体採取ボックス外で検体採取者の手から検体を受け取る作業者が必要となる。このため、この物を受け取る作業者と被検者とは共に、検体採取ボックスの外に居る状態となるため、当該作業者（ユーザ）が二次感染する可能性がある。また、上記特許文献２のドラフトチャンバーでは、実験作業後に開口部が開いた状態のまま、ドラフトチャンバーから実験対象物を取り出すことになり、実験対象物を取り出す際に開口部を介してドラフトチャンバーから外部に気体が漏れ出す場合がある。また、ユーザ側（表側）から板部を越えて裏側に物を移動させる際にも、上記の場面において、有害な物質がユーザ側に及ぶ可能性がある。
【０００７】
この開示は、上記のような課題を解決するためになされたものであり、板部の表側と裏側との間で物を移動させる際に、板部よりもユーザ側に有害な物質が及ぶのを防止することが可能な防護パネル、防護パネル付き扉、及び防護パネル付きボックスを提供することを目的とする。
【課題を解決するための手段】
【０００８】
上記の目的を達成するために、以下に開示する、本開示の第１の態様に係る防護パネルは、可視光を透過する板部と、物を前記板部の裏側から表側へあるいは表側から裏側へ移動させるために当該物が内部に配置されるケース部であって、前記板部に貫通して配置されたケース部と、を備え、前記板部は、表側からユーザの手及び腕部が挿入される少なくとも１つの腕部挿入口であって、前記ケース部よりも上方に設けられた少なくとも１つの腕部挿入口を含み、前記ケース部は、前記ケース部のうちの前記板部の裏側の部分の上面を開閉可能な第１扉であって、前記少なくとも１つの腕部挿入口に挿入されたユーザの手又は腕部により開閉される第１扉と、前記ケース部のうちの前記裏側の部分よりも前記表側の部分の上面又は側面を開閉可能な第２扉と、を含む。なお、本開示では、「物」とは、人体から得られる「検体」、人以外の動物から得られる検査対象物、及び化学分野における「実験対象物」のみならず、ワクチンなどの薬剤や注射器、差し入れ等の飲食物、本などの娯楽物なども含まれる、広い概念を意味している。
【０００９】
本開示の第２の態様に係る防護パネル付き扉は、第１の態様に係る防護パネルと、前記防護パネルを回動可能に構造物に接続するヒンジと、を備える。
【００１０】
本開示の第３の態様に係る防護パネル付きボックスは、第１の態様に係る防護パネルが一壁部として構成されたボックス本体部を備え、前記第１扉は、前記ボックス本体部の内部に配置されている。
【発明の効果】
【００１１】
上記の第１〜第３の態様の構成によれば、板部の表側と裏側との間で物を移動させる際に、板部よりもユーザ側に有害な物質が及ぶのを防止することができる。
【図面の簡単な説明】
【００１２】
【図１】図１は、第１実施形態における防護パネル付きボックス１００の構成を示す斜視図である。
【図２】図２は、排気装置３の配置位置を説明するための図である。
【図３】図３は、防護パネル１０の正面図である。
【図４】図４は、防護パネル１０のうちのケース部２０が配置された部分の断面図である。
【図５Ａ】図５Ａは、部分２１に設けられた扉２１ａが閉じた状態を示す図である。
【図５Ｂ】図５Ｂは、部分２１に設けられた扉２１ａが開いた状態を示す図である。
【図６Ａ】図６Ａは、部分２２に設けられた扉２２ａが閉じた状態を示す図である。
【図６Ｂ】図６Ｂは、部分２２に設けられた扉２２ａが開いた状態を示す図である。
【図７Ａ】図７Ａは、防護パネル付きボックス１００内が陰圧でない場合の圧力確認部材３０の状態を示す図である。
【図７Ｂ】図７Ｂは、防護パネル付きボックス１００内が陰圧である場合の圧力確認部材３０の状態を示す図である。
【図８】図８は、第２実施形態における防護パネル付き扉２００の斜視図である。
【図９】図９は、第３実施形態における防護パネル３１０の斜視図である。
【図１０】図１０は、第４実施形態におけるドラフトチャンバー４００の斜視図である。
【図１１】図１１は、第１〜第４実施形態の第１変形例による防護パネル５１０の斜視図である。
【図１２】図１２は、第１〜第４実施形態の第２変形例による防護パネル付きボックス６００一部を示す断面図である。
【発明を実施するための形態】
【００１３】
以下、本開示の実施形態を図面に基づいて説明する。なお、本開示は、以下の実施形態に限定されるものではなく、本開示の構成を充足する範囲内で、適宜設計変更を行うことが可能である。また、以下の説明において、同一部分または同様な機能を有する部分には同一の符号を異なる図面間で共通して用い、その繰り返しの説明は省略する。また、実施形態および変形例に記載された各構成は、適宜組み合わされてもよいし、変更されてもよい。また、説明を分かりやすくするために、以下で参照する図面においては、構成が簡略化または模式化して示されたり、一部の構成部材が省略されたりしている。
【００１４】
［第１実施形態］
図１は、第１実施形態における防護パネル付きボックス１００（以下、「ボックス１００」という）の構成を示す斜視図である。図２は、排気装置３の配置位置を説明するための図である。ボックス１００は、被検者から物を採取するための装置である。例えば、ボックス１００は、新型コロナウイルス（ＣＯＶＩＤ−１９）の感染の有無を検査するために、被検者から物としての検体を採取する際に使用される。このような感染の可能性がある被検者から検体を採取する場合、被検者からの飛沫が検体採取者にかかるのを防止する必要がある。第１実施形態では、ボックス１００の内部に被検者が入った状態で、外部から検体採取者が検体を採取する。これにより、被検者と検体採取者とがボックス１００の防護パネル１０を隔てた状態で、検体が採取されるので、被検者からの飛沫が検体採取者にかかるのが防止することが可能となる。
【００１５】
図１に示すように、ボックス１００は、ボックス本体部１と、複数の車輪２とを備える。ボックス本体部１は、例えば、直方体形状を有する。そして、ボックス本体部１は、防護パネル１０と、複数の柱状部材１ａと、上面パネル１ｂと、側面パネル１ｃと、ボックス扉１ｄと、底板１ｅとを含む。複数の柱状部材１ａは、これに限られないが、アルミフレーム材を用いることができる。上面パネル１ｂと側面パネル１ｃとは、可視光を透過する材料（透明な材料）により構成されている。また、ボックス扉１ｄの一部には、可視光を透過する材料により構成されている。上記の可視光を透過する材料としては、これに限られないが、透明のアクリル樹脂を用いることができる。
【００１６】
また、図１に示すように、防護パネル１０は、ボックス本体部１の一壁部（Ｘ１側の壁部）として構成されている。複数の柱状部材１ａは、互いに組み合わされることにより、直方体形状を有するボックス本体部１の各面のフレームを構成している。上面パネル１ｂは、ボックス本体部１の上面（Ｚ１側の壁部）を構成し、複数の柱状部材１ａに固定されている。図２に示すように、側面パネル１ｃは、一対設けられている。一対の側面パネル１ｃは、Ｙ１側及びＹ２側に、それぞれ設けられている。また、側面パネル１ｃは、複数の柱状部材１ａに固定されている。なお、Ｘ１方向は、防護パネル１０の表側の方向を意味し、Ｘ２方向は、防護パネル１０の裏側の方向を意味する。また、Ｙ１方向は、表側から防護パネル１０を見て、左側の方向を意味し、Ｙ２方向は、右側の方向を意味する。また、Ｚ１方向は、上側の方向を意味し、Ｚ２方向は、下側の方向を意味する。そして、Ｘ方向は、Ｘ１方向及びＸ２方向に平行な方向を意味し、Ｙ方向は、Ｙ１方向及びＹ２方向に平行な方向を意味し、Ｚ方向は、Ｚ１方向及びＺ２方向に平行な方向を意味する。
【００１７】
また、図１に示すように、ボックス扉１ｄは、例えば、ボックス本体部１の側面（Ｘ２側の壁部）を構成し、ヒンジ１ｆを介して、柱状部材１ａに開閉可能に固定されている。ボックス扉１ｄは、被検者がボックス本体部１への出入りするための出入り口である。例えば、ボックス扉１ｄは、防護パネル１０に対向する位置に配置されている。また、ボックス扉１ｄは、ヒンジ１ｆを介してボックス本体部１に対して、例えば、外開きに回動して開閉する。底板１ｅは、ボックス本体部１の底面を構成し、複数の柱状部材１ａに固定されている。
【００１８】
図２に示すように、防護パネル１０のＹ２側に設けられた側面パネル１ｃには、排気口１ｇが設けられている。排気口１ｇは、例えば、矩形状に形成されており、排気口１ｇの内部にフィルタ３ａが配置されている。排気装置３は、ファン３ｂを含み、当該ファン３ｂが駆動されることにより、ボックス本体部１内の空気を、フィルタ３ａを介して、外部に排気する。これにより、ボックス本体部１の内部が陰圧にされる。そして、柱状部材１ａと防護パネル１０又はボックス扉１ｄとの隙間から外部に、汚染された空気が漏出するのを防止することができる。また、フィルタ３ａは、例えば、ＨＥＰＡフィルタである。これにより、ボックス本体部１内に汚染された空気が存在する場合でも、フィルタ３ａを介して排気されるので、外部に汚染された空気が漏出するのを防止することができる。また、排気装置３と床面との間に、支柱３ｃが配置されている。なお、支柱３ｃなしで、排気装置３をボックス本体部１に取り付けることが可能な場合は、支柱３ｃは設けられなくてもよい。
【００１９】
図１に示すように、複数の車輪２は、ボックス本体部１の底部の４つの角部に、それぞれ配置されている。ボックス１００（ボックス本体部１）は、複数の車輪２により、移動可能に構成されている。これにより、被検者が居る場所（医療施設や検査施設）に、ボックス１００を移動させて、ボックス１００を容易に設置することができる。
【００２０】
（防護パネルの構成）
次に、図１、及び図３〜図７を参照して、第１実施形態における防護パネル１０の構成について説明する。図３は、防護パネル１０の正面図である。図３に示すように、防護パネル１０は、板部１１と、２つの柱部材１２と、２つの梁部材１３と、ケース枠部材１４と、ケース部２０と、圧力確認部材３０とを含む。板部１１は、上部板部材１１ａと、中央部板部材１１ｂと、下部板部材１１ｃとを含む。上部板部材１１ａ、中央部板部材１１ｂ、及び下部板部材１１ｃは、可視光を透過する材料により構成されている。可視光を透過する材料としては、これに限られないが、アクリル樹脂を用いることができる。２つの柱部材１２、２つの梁部材１３、及びケース枠部材１４としては、これに限られないが、アルミフレーム材を用いることができる。
【００２１】
また、図１に示すように、Ｚ方向に延びる２つの柱部材１２の間に、Ｙ方向に延びる２つの梁部材１３が配置されている。ケース枠部材１４は、２つの梁部材１３との上下方向の間に配置され、２つの柱部材１２に接続されている。そして、２つの柱部材１２と上方の梁部材１３とケース枠部材１４とに囲まれる領域に、上部板部材１１ａが配置されている。２つの柱部材１２と下方の梁部材１３とケース枠部材１４とに囲まれる領域に、下部板部材１１ｃが配置されている。また、上部板部材１１ａと下部板部材１１ｃとの上下方向の間に配置され、ケース枠部材１４に隣接する領域に、２つの中央部板部材１１ｂが配置されている。
【００２２】
図４は、防護パネル１０のうちのケース部２０が配置された部分の断面図である。ケース部２０は、検体Ｐを板部１１の裏側（Ｘ２側）から表側（Ｘ１側）へ移動させる際に、当該検体Ｐを一時的に配置するためのケースである。図３に示すように、ケース部２０は、板部１１に貫通して配置されている。すなわち、ケース部２０は、板部１１の裏側の面１１ｄよりも裏側（Ｘ１方向の位置）から、板部１１の表側の面１１ｅよりも表側（Ｘ２方向の位置）に亘って配置されている。
【００２３】
また、図３に示すように、ケース部２０は、ケース枠部材１４により囲まれる領域に配置されることにより、上部板部材１１ａと下部板部材１１ｃとの上下方向の間で、かつ、２つの中央部板部材１１ｂの左右方向の間に配置されている。また、ケース部２０は、例えば、ケース枠部材１４にボルト・ナット、又は接着剤等の接合部材を用いて固定されている。
【００２４】
図３に示すように、板部１１の上部板部材１１ａは、ユーザの手及び腕部が挿入される２つの腕部挿入口１５及び１６を有する。腕部挿入口１５及び１６は、ケース部２０の上方に配置され、互いに間隔を空けて配置されている。腕部挿入口１５及び１６は、それぞれ、円形状を有する。また、腕部挿入口１５及び１６は、それぞれ、上部板部材１１ａに形成された貫通孔である。
【００２５】
図４に示すように、腕部挿入口１５には、筒状部材１５ａが配置されている。また、筒状部材１５ａには、固定部材１５ｂにより固定されたグローブ４０が配置されている。グローブ４０は、ゴム又は樹脂製の液体を通過させない材料から構成されている。固定部材１５ｂは、例えば、筒状部材１５ａの外周にグローブ４０の一部を固定するバンドである。固定部材１５ｂは、グローブ４０の一部を筒状部材１５ａの外周との間に挟んでいる。これにより、腕部挿入口１５から挿入した検体採取者の手にグローブ４０が装着されるので、検体採取者の手に、被検者の飛沫が付着するのを防止することができる。腕部挿入口１６は、腕部挿入口１５と同様に構成されているため、説明を省略する。
【００２６】
（ケース部の構成）
図１に示すように、ケース部２０は、例えば、直方体形状を有する。図４に示すように、ケース部２０の内部空間は、板部１１の裏側から表側へ亘って連続している。また、ケース部２０は、可視光を透過する材料により構成されている。可視光を透過する材料としては、これに限られないが、アクリル樹脂を用いることができる。この構成によれば、ケース部２０の内部を検体採取者が視認することができる。
【００２７】
また、図４に示すように、ケース部２０は、ケース部２０のうちの、面１１ｄの裏側（Ｘ２側）の部分２１と、部分２１よりも表側（Ｘ１側）の部分２２とを含む。部分２１の面１１ｄから裏側への突出長さＬ１は、部分２２の面１１ｅから表側への突出長さＬ２よりも大きい。これにより、ケース部２０の寸法を確保しながら、検体採取者側（表側）に突出する長さＬ２を小さくすることができる。この結果、検体採取者が検体を取得する際に、検体採取者の身体とケース部２０とが干渉するのを防止することができる。
【００２８】
図５Ａは、部分２１に設けられた扉２１ａが閉じた状態を示す図である。図５Ｂは、部分２１に設けられた扉２１ａが開いた状態を示す図である。図５Ａに示すように、部分２１の上面には、扉２１ａが設けられている。扉２１ａにより開口２１ｂが塞がれる。扉２１ａには、把持部２１ｄが設けられている。把持部２１ｄは、腕部挿入口１５又は１６に挿入された検体採取者の手により把持可能な位置に設けられている。これにより、ケース部２０の上方に配置された腕部挿入口１５及び１６から挿入された手により、扉２１ａを容易に開閉することが可能となる。また、ケース部２０の左右方向の中心Ｃ１は、腕部挿入口１５と腕部挿入口１６との間に位置する。
【００２９】
そして、図５Ｂに示すように、検体採取者（図示を省略）により把持部２１ｄが把持された状態で、扉２１ａがＹ２方向にスライド移動されることにより、開口２１ｂが開放される。これにより、扉２１ａがスライド移動して開閉されるので、腕部挿入口１５及び１６側に扉を回動させて開く場合と異なり、扉２１ａと腕部挿入口１５及び１６との間の距離を小さくすることができる。また、扉２１ａの上面２１ｅは、検体Ｐを一時的に載置可能に平坦に形成されている。これにより、取得した検体Ｐを一時的に上面２１ｅに配置することができる。そして、開口２１ｂが開いた状態で、部分２１の内部に、検体Ｐが配置される。
【００３０】
図６Ａは、部分２２に設けられた扉２２ａが閉じた状態を示す図である。図６Ｂは、部分２２に設けられた扉２２ａが開いた状態を示す図である。図６Ａに示すように、部分２２のＸ１方向の側面には、２つの扉２２ａが設けられている。２つの扉２２ａには、それぞれ、把持部２２ｂが設けられている。把持部２２ｂは、ボックス１００の外部に居る検体採取者の手により把持される。そして、図６Ｂに示すように、検体採取者（図示を省略）により把持部２２ｂがＹ１方向にスライド移動されることにより、開口２２ｃが開放される。そして、開口２２ｃが開いた状態で、ケース部２０の内部から検体Ｐ（図５Ｂ参照）が取り出される。これにより、ボックス１００の内部から外部に検体Ｐが移動される。この構成によれば、扉２２ａがケース部２０の側面に設けられるので、当該側面からケース部２０の部分２１に向かって、Ｘ２方向に手を挿入することができる。この結果、ケース部２０の部分２１に検体Ｐが配置されている場合でも、容易に検体Ｐを取得することができる。また、扉２２ａが開放される際に、扉２１ａ（図４参照）を閉じた状態であれば、ボックス１００の内部からケース部２０に汚染された空気が入らないので、扉２２ａを開けた場合でも、ボックス１００の内部の汚染された空気が外部に流出するのを防止することができる。
【００３１】
上記のように、検体採取者は、腕部挿入口１５及び１６に腕部を挿入した状態で、板部１１の裏側において検体を取得する作業を行った後、板部１１の裏側において検体採取者自ら扉２１ａを開いてケース部２０の内部に検体Ｐを配置することができる。この時、扉２２ａを閉じた状態とすることで、ボックス１００内から外部（表側）に汚染された空気が及ぶのを防止することができる。そして、検体採取者は、腕部挿入口１５及び１６から腕部を取り出して、ケース部２０の内部に配置された検体Ｐを扉２２ａから検体採取者自ら表側に取り出すことができる。この時、扉２１ａを閉じた状態とすることで、ボックス１００内から外部（表側）に汚染された空気が及ぶのを防止することができる。この結果、検体採取者（ユーザ）による作業後に板部１１よりも検体採取者側に検体Ｐを取り出す際においても、板部１１よりも検体採取者側に有害な物質が及ぶのを防止することができる。また、検体採取者とは別の作業者がいなくても、検体採取者が検体Ｐを取り扱うことが可能となる。
【００３２】
（圧力確認部材の構成）
次に、図１、図７Ａ及び図７Ｂを参照して、圧力確認部材３０の構成について説明する。図７Ａは、ボックス１００内が陰圧でない場合の圧力確認部材３０の状態を示す図である。図７Ｂは、ボックス１００内が陰圧である場合の圧力確認部材３０の状態を示す図である。図１に示すように、板部１１には、圧力確認部材３０が設けられている。圧力確認部材３０は、例えば、腕部挿入口１５及び１６よりも上方（Ｚ１方向）の位置に設けられている。これにより、検体採取者の目の高さに近い位置に圧力確認部材３０が配置されるので、圧力確認部材３０を容易に視認することができる。
【００３３】
図７Ａに示すように、板部１１には、面１１ｄから面１１ｅに亘る貫通孔３１が形成されている。貫通孔３１には、筒状部材３２ａが配置されている。圧力確認部材３０は、可撓性の部材により構成されている。可撓性の部材としては、これに限られないが、ビニール製のシートを用いることができる。圧力確認部材３０は、貫通孔３１（筒状部材３２ａ）を塞ぐように配置されているとともに、たるませた状態で配置されている。また、圧力確認部材３０は、筒状部材３２ａの外周に固定部材３２ｂにより固定されている。固定部材１５ｂは、例えば、確認部材３０の一部を筒状部材３２ａの外周との間に挟むバンドである。
【００３４】
そして、図７Ｂに示すように、ボックス本体部１内が陰圧となった場合に、圧力確認部材３０は、ボックス本体部１の裏側（Ｘ２側）に向かって窪む。検体採取者は、圧力確認部材３０がボックス本体部１の裏側に向かって窪んだことを視認することにより、ボックス本体部１内が陰圧となったことを確認する。
【００３５】
（検体採取ボックスの使用例）
次に、図１〜図７Ｂを参照して、第１実施形態によるボックス１００の使用例について説明する。
【００３６】
まず、検体採取者は、図２に示す排気装置３を操作して、排気装置３によるボックス本体部１内の空気の排気を開始させる。そして、検体採取者は、圧力確認部材３０が図７Ａのようなたるんだ状態から、図７Ｂに示すようなボックス本体部１の内側に窪んだ状態に変化するのを確認する。圧力確認部材３０がボックス本体部１の内側に窪んだ状態になれば、ボックス本体部１内は陰圧となっている。
【００３７】
その後、被検者は、図１に示すボックス扉１ｄを開いて、ボックス本体部１内に入室し、ボックス扉１ｄを閉める。被検者がボックス本体部１に出入りする際は、検体採取者は、ボックス本体部１の近傍にいないことが好ましい。そして、検体採取者が腕部挿入口１５及び１６にそれぞれ腕部及び手を挿入し、腕部及び手に、図４に示すグローブ４０を装着する。
【００３８】
そして、検体採取者が被検者から検体を採取し、図５Ｂに示すように扉２１ａを開いて検体をケース部２０の内部に配置する。この時、図６Ａに示すように、扉２２ａは閉じている。そして、図５Ａに示すように扉２１ａを閉じる。そして、検体採取者は、腕部挿入口１５及び１６から腕部及び手を取りだす。その後、図６Ｂに示すように扉２２ａを開いてケース部２０内に配置された検体Ｐを取り出す。この時、扉２１ａは閉じている。これにより、被検者からの飛沫が検体採取者にかかることなく、かつ、ボックス本体部１内を陰圧に保った状態で、ボックス１００内（防護パネル１０の裏側）から、ボックス１００の外部（防護パネル１０よりも表側）に、検体Ｐが移動される。
【００３９】
その後、検体採取者が扉２２ａを閉じる。そして、被検者はボックス扉１ｄを開いてボックス本体部１内から外部に退出する。
【００４０】
上記の使用方法によれば、検体採取者の検体採取作業後に、扉２２ａを閉じた状態で、扉２１ａを開いてケース部２０内に検体Ｐを配置するので、ケース部２０内に検体Ｐを配置する際に、板部１１の裏側から表側へ有害な物質が及ぶのを防止することができる。そして、扉２１ａを閉じた状態で、扉２２ａを開くので、板部１１の裏側から表側へ有害な物質が及ぶのを防止しながら、検体Ｐを取り出すことが可能となる。この結果、検体採取者による作業後に板部１１よりも検体採取者側に検体Ｐを取り出す際においても、板部１１よりも検体採取者側に有害な物質が及ぶのを防止することができる。また、検体採取者とは別の作業者がいなくても、被検者から検体Ｐを採取して、検体Ｐをボックス１００内から外部に移動させることができる。
【００４１】
［第２実施形態］
図８を参照して、第２実施形態における防護パネル付き扉２００の構成について説明する。図８は、第２実施形態における防護パネル付き扉２００の斜視図である。なお、第１実施形態と同様の構成には、第１実施形態と同じ符号を用い説明を省略する。
【００４２】
防護パネル付き扉２００は、例えば、これに限られないが、医療施設の病室の出入り口、又は介護施設の居室の出入り口に配置される。図８に示すように、防護パネル付き扉２００は、防護パネル１０と、防護パネル１０を回動可能に壁２２０に接続するヒンジ２０２と、防護パネル１０に配置されたドアノブ２０３とを含む。ドアノブ２０３が把持されることにより、防護パネル付き扉２００が開き、病室又は居室に被検者又は検体採取者は出入りすることが可能となる。これにより、防護パネル付き扉２００は、病室や居室の扉としての機能と、第１実施形態による防護パネル１０としての機能と、を兼ね備えることができる。その他の構成及び効果は、第１実施形態による構成及び効果と同様である。
【００４３】
［第３実施形態］
図９を参照して、第３実施形態における防護パネル３１０の構成について説明する。図９は、第３実施形態における防護パネル３１０の斜視図である。なお、第１又は第２実施形態と同様の構成には、第１又は第２実施形態と同じ符号を用い説明を省略する。
【００４４】
図９に示すように、防護パネル３１０は、２つの脚部３０１を備える。脚部３０１は、柱部材１２の下端に接続されており、例えば、裏側に延びている。また、２つの脚部３０１には、２つずつ（計４つの）車輪３０２が設けられている。これにより、防護パネル３１０は、移動可能に構成されている。また、板部１１の下端から床面に亘って、シート部材３０３が配置されている。シート部材３０３は、可撓性を有する部材から構成されており、これに限られないが、例えば、ビニール製のシートである。これにより、板部１１よりも下方側において、防護パネル３１０の裏側から表側に空気が移動するのを防止することができる。また、２つの柱部材１２の各々には、把持部３０４（移動用ハンドル）が設けられている。これにより、ユーザは、把持部３０４を持って、車輪３０２を転がすことにより、防護パネル３１０を容易に移動させることができる。その他の構成及び効果は、第１実施形態による構成及び効果と同様である。
【００４５】
［第４実施形態］
図１０を参照して、第４実施形態におけるドラフトチャンバー４００の構成について説明する。図１０は、第４実施形態におけるドラフトチャンバー４００の斜視図である。なお、第１〜第３実施形態のいずれかと同様の構成には、第１〜第３実施形態のいずれかと同じ符号を用い説明を省略する。
【００４６】
ドラフトチャンバー４００は、化学分野における実験を行う際に、物としての実験対象物が内部（裏側）に配置される装置である。ドラフトチャンバー４００は、被検体移動パネル４１０を備える。第４実施形態によるドラフトチャンバー４００によれば、板部１１を隔てた状態（裏側）で実験対象物を、腕部挿入口１５及び１６を介して手により操作することが可能となる。ドラフトチャンバー４００は、図示しない排気装置によりフィルタを介して内部の空気が排気されており、実験対象物から有害な気体が発生した場合でも、実験作業者（ユーザ）側（表側）に有害な気体が漏れ出すのが防止されている。また、第４実施形態によれば、実験作業者による実験作業後に、板部１１よりも実験作業者側に有害な物質が及ぶのを防止しながら、実験対象物を、ケース部２０を介してドラフトチャンバー４００の外部に取り外すことが可能となる。その他の構成及び効果は、第１実施形態による構成及び効果と同様である。
【００４７】
［変形例］
以上、上述した実施形態は本開示を実施するための例示に過ぎない。よって、本開示は上述した実施形態に限定されることなく、その趣旨を逸脱しない範囲内で上述した実施形態を適宜変形して実施することが可能である。
【００４８】
（１）上記第１〜第４実施形態では、図４に示すように、ケース部２０の部分２２が表側に長さＬ２分、突出する例を示したが、本開示はこれに限られない。例えば、図１１に示す第１変形例による防護パネル５１０のように、ケース部５２０は、表側（Ｘ１側）に突出せずに、ケース部５２０の表側の部分の側面５２２ｂは、板部１１と面一に配置されていてもよい。
【００４９】
（２）上記第１、第２及び第４実施形態では、被検体移動パネルの裏側の空間を陰圧にする例を示したが、本開示はこれに限られない。例えば、図１２に示す第２変形例による防護パネル付きボックス６００のように、防護パネル付きボックス６００の内部が陽圧にされてもよい。例えば、防護パネル付きボックス６００には、図示しない給気装置が接続されており、当該給気装置により防護パネル付きボックス６００内が陽圧に維持される。この場合、圧力確認部材３０は、防護パネル付きボックス６００から外側に向かって突出する形状となるので、圧力確認部材３０を視認することにより、ユーザは、防護パネル付きボックス６００内が陽圧であることを確認することができる。
【００５０】
（３）上記第１〜第４実施形態では、ケース部２０の部分２１の上面のみに扉２１ａを設ける例を示したが、本開示はこれに限られない。例えば、ケース部２０の部分２１の側面にも扉を設けてもよい。
【００５１】
（４）上記第１〜第４実施形態では、ケース部２０の部分２２の側面に扉２２ａを設ける例を示したが、本開示はこれに限られない。例えば、ケース部２０の部分２２の上面に扉を設けてもよい。
【００５２】
（５）上記第１〜第４実施形態では、ケース部２０の扉２１ａ及び２２ａをそれぞれスライド移動して開閉可能に構成する例を示したが、本開示はこれに限られない。例えば、ケース部２０の扉を回動して開閉するように構成してもよい。
【００５３】
（６）上記第１〜第４実施形態では、ケース部２０を、可視光を透過する材料により構成する例を示したが、本開示はこれに限られない。例えば、ケース部を、可視光を透過しない材料（例えば、金属や可視光を透過しない樹脂材料）により構成されてもよい。
【００５４】
（７）上記第１〜第４実施形態では、腕部挿入口を防護パネルに一対設ける例を示したが、本開示はこれに限られない。例えば、腕部挿入口を防護パネルに１つのみ設けてもよいし、３つ以上の数設けてもよい。
【００５５】
（８）上記第１実施形態では、ボックス本体部１を直方体に形成する例を示したが、本開示はこれに限られない。すなわち、ボックス本体部１は、立方体であってもよいし、円柱状であってもよいし、ドーム状であってもよい。
【００５６】
（９）上記第１〜第４実施形態では、移動される「物」として、「検体」及び「実験対象物」を例として挙げたが、本開示はこれに限られない。例えば、「物」として、ワクチンなどの薬剤や注射器、差し入れ等の飲食物、本などの娯楽物などを、防護パネルを介して、裏側から表側あるいは表側から裏側に移動させてもよい。
【００５７】
（１０）上記第１〜第４実施形態では、「物」を、板部の裏側から表側に移動させる例を示したが、本開示はこれに限られない。すなわち、「物」を、板部の表側から裏側に移動させてもよい。
【００５８】
また、上述した防護パネル、は、以下のように説明することができる。
【００５９】
第１の構成に係る防護パネルは、可視光を透過する板部と、物を板部の裏側から表側へあるいは表側から裏側へ移動させるために当該物が内部に配置されるケース部であって、板部に貫通して配置されたケース部と、を備え、板部は、表側からユーザの手及び腕部が挿入される少なくとも１つの腕部挿入口であって、ケース部よりも上方に設けられた少なくとも１つの腕部挿入口を含み、ケース部は、ケース部のうちの板部の裏側の部分の上面を開閉可能な第１扉であって、少なくとも１つの腕部挿入口に挿入されたユーザの手又は腕部により開閉される第１扉と、ケース部のうちの裏側の部分よりも表側の部分の上面又は側面を開閉可能な第２扉と、を含む（第１の構成）。
【００６０】
上記第１の構成によれば、板部の表側と裏側との間で物を移動させる際に、板部よりもユーザ側に有害な物質が及ぶのを防止することができる。ユーザの作業後に、第２扉を閉じた状態で、第１扉を開いてケース部内に物を配置することができるので、ケース部内に物を配置する際に、板部の裏側から表側へ有害な物質が及ぶのを防止することができる。そして、第１扉を閉じた状態で、第２扉を開けば、板部の裏側から表側へ有害な物質が及ぶのを防止しながら、物を取り出すことが可能となる。この結果、ユーザによる作業後に板部よりもユーザ側に物を取り出す際においても、板部よりもユーザ側に有害な物質が及ぶのを防止することができる。そして、第１扉がケース部の上面に設けられているので、ケース部の上方に配置された腕部挿入口から挿入された手により、第１扉を容易に開閉することが可能となる。
【００６１】
第１の構成において、ケース部のうちの板部から裏側に突出する長さは、ケース部のうちの板部から表側へ突出する長さよりも大きく構成されてもよい（第２の構成）。
【００６２】
上記第２の構成によれば、ケース部の寸法を確保しながら、ユーザ側（表側側）に突出する長さを小さくすることができる。この結果、ユーザが腕部挿入口に腕部を挿入して作業を行う際に、ユーザの身体とケース部とが干渉するのを防止することができる。
【００６３】
第１または第２の構成において、第１扉は、スライド移動して開閉可能に構成されていてもよい（第３の構成）。
【００６４】
ここで、第１扉がケース部の外側に回動して開くように構成される場合には、第１扉と腕部挿入口から挿入した腕部とが干渉しないように、第１扉と腕部挿入口との間の距離を確保する必要がある。これに対して、上記第３の構成によれば、第１扉がスライド移動して開閉されるので、第１扉と腕部挿入口との間の距離を小さくすることができる。
【００６５】
第１〜第３のいずれか１つの構成において、ケース部のうちの裏側の部分の上面は、物を一時的に載置するための載置部を含んでもよい（第４の構成）。
【００６６】
上記第４の構成によれば、取得した物を一時的に載置部に配置することができる。
【００６７】
第１〜第４のいずれか１つの構成において、第２扉は、表側の部分の側面に配置されていてもよい（第５の構成）。
【００６８】
上記第５の構成によれば、第２扉が側面に設けられるので、側面からケース部の裏側の部分に向かって、手を挿入することができる。この結果、ケース部の裏側の部分に物が配置されている場合でも、容易に物を取得することができる。
【００６９】
第１〜第５のいずれか１つの構成において、ケース部は、可視光を透過する材料により構成されていてもよい（第６の構成）。
【００７０】
上記第６の構成によれば、第１扉及び第２扉が閉じた状態であっても、ケース部の内部をユーザが視認することができる。
【００７１】
第１〜第６のいずれか１つの構成において、少なくとも１つの腕部挿入口は、ケース部の上方に設けられた一対の腕部挿入口を含んでもよい（第７の構成）。
【００７２】
上記第７の構成によれば、ユーザは両方の腕部をそれぞれ一対の腕部挿入口に挿入することができる。
【００７３】
第１〜第７のいずれか１つの構成において、板部は、貫通孔を有してもよく、貫通孔を塞いで配置された可撓性の部材を含む圧力確認部材を、さらに備えてもよい（第８の構成）。
【００７４】
上記第８の構成によれば、陰圧室（陰圧ボックス）又は陽圧室（陽圧ボックス）の一部として防護パネルが構成された場合に、陰圧室又は陽圧室の内部が、陰圧又は陽圧か、あるいは外部と同じ圧力かを、ユーザが視認することができる。
【００７５】
第９の構成に係る防護パネル付き扉は、第１〜第８のいずれか１つの構成の防護パネルと、防護パネルを回動可能に構造物に接続するヒンジと、を備える（第９の構成）。
【００７６】
上記第９の構成によれば、ユーザによる作業後に板部よりもユーザ側に物を取り出す際においても、板部よりもユーザ側に有害な物質が及ぶのを防止することが可能な防護パネル付き扉を提供することができる。
【００７７】
第１０の構成に係る防護パネル付きボックスは、上記第１〜第８のいずれか１つの構成の防護パネルが一壁部として構成されたボックス本体部を備え、第１扉は、ボックス本体部の内部に配置されている（第１０の構成）。
【００７８】
上記第１０の構成によれば、ユーザによる作業後に板部よりもユーザ側に物を取り出す際においても、板部よりもユーザ側に有害な物質が及ぶのを防止することが可能な防護パネル付きボックスを提供することができる。ここで、被検者が外部に居る状態で物が採取される場合には、被検者からの有害な物質（飛沫）を含む空気が防護パネル付きボックスの外部で充満しないように、屋外に防護パネル付きボックスを配置する必要がある。これに対して、上記第１０の構成によれば、内部で被検者の物が採取することができるので、有害な物質を含む空気が防護パネル付きボックスの外部で充満しないため、施設内に防護パネル付きボックスを配置して使用することができる。
【００７９】
第１０の構成において、ボックス本体部内を陰圧にする排気装置をさらに備えてもよい（第１１の構成）。
【００８０】
上記第１１の構成によれば、ボックス本体部に汚染された空気がある場合に、ボックス本体部から外部に汚染された空気が漏れだすのを防止することができる。
【００８１】
第１０または第１１の構成において、ボックス本体部の底部に配置された車輪であって、ボックス本体部を移動させる車輪をさらに備える（第１２の構成）。
【００８２】
上記第１２の構成によれば、防護パネル付きボックスを車輪により容易に移動させることができる。
【符号の説明】
【００８３】
１…ボックス本体部、２…車輪、３…排気装置、１０，３１０，４１０，５１０…防護パネル、１１…板部、１１ａ…上部板部材、１１ｂ…中央部板部材、１１ｃ…下部板部材、１５，１６…腕部挿入口、２０，５２０…ケース部、２１…部分（裏側の部分）、２１ａ…扉（第１扉）、２１ｅ…上面、２２…部分（表側の部分）、２２ａ…扉（第２扉）、３０…圧力確認部材、３１…貫通孔、１００，６００…防護パネル付きボックス、２００…防護パネル付き扉、２０２…ヒンジ、４００…ドラフトチャンバーｂ…側面
【要約】
【課題】板部の表側と裏側との間で物を移動させる際に、板部よりもユーザ側に有害な物質が及ぶのを防止することが可能な防護パネル、防護パネル付き扉、及び防護パネル付きボックスを提供する。
【解決手段】防護パネル１０は、板部１１と、物を板部１１の裏側から表側へあるいは裏側から表側へ移動させるためのケース部２０とを備える。ケース部２０は、板部１１に貫通して配置されている。板部１１は、ケース部２０よりも上方に設けられた腕部挿入口１５及び１６を含む。ケース部２０は、板部１１の裏側の部分の上面を開閉可能な第１扉であって、腕部挿入口１５又は１６に挿入されたユーザの手又は腕部により開閉される第１扉と、ケース部２０の表側の部分の側面を開閉可能な第２扉と、を含む。
【選択図】図１【図１】
0006900097.tif 000002
【図２】
0006900097.tif 000003
【図３】
0006900097.tif 000004
【図４】
0006900097.tif 000005
【図５Ａ】
0006900097.tif 000006
【図５Ｂ】
0006900097.tif 000007
【図６Ａ】
0006900097.tif 000008
【図６Ｂ】
0006900097.tif 000009
【図７Ａ】
0006900097.tif 000010
【図７Ｂ】
0006900097.tif 000011
【図８】
0006900097.tif 000012
【図９】
0006900097.tif 000013
【図１０】
0006900097.tif 000014
【図１１】
0006900097.tif 000015
【図１２】
0006900097.tif 000016